(57)【要約】【課題】本発明は、従来の原稿読取装置に設置スペースを増加することなく装着することができるとともに搬送ローラの表面を確実に清掃可能な清掃部材を備えている原稿読取装置を提供することを目的とするものである。【解決手段】原稿ガイド部材２５は、フィードローラ２３の軸方向に沿って延設されており、プラテンガラス３１に対向する部分に平板状の原稿ガイド面２５ａが形成されている。原稿ガイド面２５ａとプラテンガラス３１との間に位置する原稿部分が読取位置となる。原稿ガイド部材２５とフィードローラ２３との間には、フィードローラ２３の軸方向に沿って清掃部材４が挿着されている。清掃部材４が変形してフィードローラ２３の表面に圧接され、フィードローラ２３の表面に付着した紙粉等の異物が拭き落されるようになり、フィードローラ２３の表面を常時清掃し、異物のない状態とすることができる。【選択図】図２
2007235632.tif 000002
【特許請求の範囲】
【請求項１】
原稿トレイから搬入された原稿を読取位置に搬送する搬送ローラと、前記搬送ローラに対してその軸方向に沿って近接して設けられるとともに搬送される原稿を前記読取位置に案内する原稿ガイド面が形成された原稿ガイド部材と、前記搬送ローラ及び前記原稿ガイド部材の間において前記搬送ローラの軸方向に着脱可能に挿着されるとともに前記搬送ローラの外周面に摺接して清掃する清掃部材とを備えていることを特徴とする原稿読取装置。
【請求項２】
前記原稿ガイド部材は、前記原稿ガイド面を形成する板状部を備えており、前記板状部の原稿搬送方向下流側の側端には前記搬送ローラに向かって折り曲げ形成した保持部が連設されており、前記保持部内に前記清掃部材が挿着されることを特徴とする請求項１に記載の原稿読取装置。
【請求項３】
前記原稿ガイド部材は、前記板状部及び前記搬送ローラの間において前記清掃部材の原稿搬送方向上流側に紙粉等の回収スペースが形成されていることを特徴とする請求項２に記載の原稿読取装置。
【発明の詳細な説明】
【技術分野】
【０００１】
本発明は、複写機、ファクシミリ装置、プリンタ等の画像形成装置に適用可能な、原稿を読取可能な原稿読取装置関する。
【背景技術】
【０００２】
従来、自動原稿送り装置（ＡＤＦ）を備えた画像形成装置においては、搬送ベルトにより原稿を搬送してプラテンガラス上に位置決めし、プラテンガラスの下方をスキャナが移動して原稿を読み取るシート固定タイプと、プラテンガラスの下方にスキャナを停止させておき、原稿を一定速度でプラテンガラス上を搬送させながら原稿の読み取りを行うシートスルータイプが知られている。
【０００３】
シートスルータイプでは、ホッパ等の原稿載置台に読み取る原稿をセットして１枚ずつ自動的に搬送して原稿を読み取ることができ、読み取った原稿は、原稿載置台の下方の排出トレイに自動的に搬出されるようになる。
【０００４】
原稿の搬送には、一般に搬送ローラが用いられているが、原稿を搬送する際に原稿に付着した紙粉等の異物が搬送ローラに転移して残留するようになる。搬送ローラの表面に異物が蓄積していくと、原稿の搬送が正常に行われずに斜行の原因になることがあり、そのため原稿の読取動作に支障が生じるおそれがある。
【０００５】
こうしたことから搬送ローラの表面の清掃が必要となるが、清掃手段としては、例えば、特許文献１では、用紙を搬送する搬送ローラの表面に先端が接触する絶縁性のブラシと、ブラシよりもローラ回転方向下流側に配置されかつ搬送ローラの表面に圧接するスポンジとを備えているクリーニング装置が記載されている。
【特許文献１】特開平５−１６５３７５号公報
【発明の開示】
【発明が解決しようとする課題】
【０００６】
上述した特許文献１では、用紙の搬送ローラのクリーニング装置として、ブラシ及びスポンジを用いているが、原稿読取装置では、ＡＤＦを原稿カバーに搭載する場合が多く、原稿カバーの操作性の観点からＡＤＦはコンパクト化及び軽量化を図ることが要請されており、できるだけ部品の追加を避ける必要がある。そのため、特許文献１のように、ブラシやスポンジを新たに追加することは部品点数が増加し、そのための設置スペースが必要となって原稿読取装置には採用することは難しい。
【０００７】
そこで、本発明は、従来の原稿読取装置に設置スペースを増加することなく装着することができるとともに搬送ローラの表面を確実に清掃可能な清掃部材を備えている原稿読取装置を提供することを目的とするものである。
【課題を解決するための手段】
【０００８】
本発明に係る原稿読取装置は、原稿トレイから搬入された原稿を読取位置に搬送する搬送ローラと、前記搬送ローラに対してその軸方向に沿って近接して設けられるとともに搬送される原稿を前記読取位置に案内する原稿ガイド面が形成された原稿ガイド部材と、前記搬送ローラ及び前記原稿ガイド部材の間において前記搬送ローラの軸方向に着脱可能に挿着されるとともに前記搬送ローラの外周面に摺接して清掃する清掃部材とを備えていることを特徴とする。さらに、前記原稿ガイド部材は、前記原稿ガイド面を形成する板状部を備えており、前記板状部の原稿搬送方向下流側の側端には前記搬送ローラに向かって折り曲げ形成した保持部が連設されており、前記保持部内に前記清掃部材が挿着されることを特徴とする。さらに、前記原稿ガイド部材は、前記板状部及び前記搬送ローラの間において前記清掃部材の原稿搬送方向上流側に紙粉等の回収スペースが形成されていることを特徴とする。
【発明の効果】
【０００９】
上記のような構成を有することで、搬送される原稿を前記読取位置に案内する原稿ガイド面が形成された原稿ガイド部材を利用して搬送ローラの清掃部材を保持するようにしているので、従来の原稿読取装置に別途清掃部材の設置スペースを増加させることなく、搬送ローラの清掃を行えるようにすることができる。
【００１０】
そして、原稿ガイド部材が搬送ローラに対してその軸方向に沿って近接して設けられていることから、清掃部材を搬送ローラの軸方向に着脱可能に挿着することができるようになり、簡単に清掃部材の取り付けを行うことが可能となる。そのため、清掃部材の着脱のための機構についても新たに設ける必要がない。
【００１１】
また、軸方向に挿着した清掃部材は、搬送ローラ及び原稿ガイド部材の間に保持されて搬送ローラに摺接することから、確実に搬送ローラ表面を清掃することができる。
【００１２】
そして。原稿ガイド面を形成する板状部の原稿搬送方向下流側の側端には搬送ローラに向かって折り曲げて清掃部材の保持部を形成することで、非常に簡単な構造で確実に清掃部材を保持することができる。
【００１３】
また、原稿ガイド部材の板状部及び搬送ローラの間において清掃部材の原稿搬送方向上流側に紙粉等の回収スペースを形成することで、清掃部材によって搬送ローラ表面から脱落した紙粉等の異物を飛散させることなく回収しておくことができる。
【発明を実施するための最良の形態】
【００１４】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１５】
図１は、本発明に係る実施形態に関する概略断面図である。原稿読取装置１は、原稿搬送部２及び原稿読取部３からなり、原稿トレイ１０にセットされた原稿搬送部２により搬入されて原稿読取部３に搬送される。そして、原稿読取部３で読み取られた原稿は、排出トレイ１１に排出される。
【００１６】
原稿搬送部２には、ピックアップローラ２１及びセパレートローラ２２が設けられており、原稿トレイ１０に載置された原稿がピックアップローラ２１により引き込まれ、セパレートローラ２２により原稿の先端が挟持される。セパレートローラ２２は、原稿を１枚ずつ搬入して、搬入された原稿の先端がフィードローラ２３及びプレスローラ２４に挟持されて搬送されるようになる。
【００１７】
そして、原稿は、さらにフィードローラ２３の外周に沿って下方に搬送されてプレスローラ２４とフィードローラ２３との間に挟持される。挟持された原稿は、フィードローラ２３の下方に近接して配設された原稿ガイド部材２５に沿って読取位置に搬送されるようになる。
【００１８】
原稿読取部３には、ランプ及びイメージセンサ等を搭載した読取ヘッド３０が図示せぬキャリッジ機構により左右方向に移動するようになっている。そして、原稿搬送部２において搬送された原稿を読み取る場合には、読取ヘッド３０をプラテンガラス３１の下方に位置決めさせて静置し、原稿ガイド部材２５とプラテンガラス３１との間を通過する原稿を読み取るようにされている。
【００１９】
読み取られた原稿は、ガイド用突起３２により上向きに案内されて排出ローラ２６及びプレスローラ２７の間に挟持されるようになる。そして、排出ローラ２６により排出トレイ１１に排出される。
【００２０】
また、原稿搬送部２は、原稿カバーを兼ねており、書籍等を読み取る場合には、原稿搬送部２を上方に回動してフラットベッドプラテン３３に書籍等の被読取部分を配置し、読取ヘッド３０を左右方向に移動させて読取動作が行われる。
【００２１】
図２は、フィードローラ２３付近の構造を示す一部拡大断面図である。原稿ガイド部材２５は、フィードローラ２３の軸方向に沿って延設されており、プラテンガラス３１に対向する部分に平板状の原稿ガイド面２５ａが形成されている。原稿ガイド面２５ａの両端部には、プラテンガラス３１に向かって突出した間隔調整用突起２５ｂが形成されており、間隔調整用突起２５ｂがプラテンガラス３１の上面に当接することで、原稿ガイド面２５ａとプラテンガラス３１との間に原稿が通過する一定の間隔の隙間が確保される。そして、原稿ガイド面２５ａとプラテンガラス３１との間に位置する原稿部分が読取位置となり、原稿が読取位置を通過しながら順次読取ヘッド３０により読み取られていく。
【００２２】
また、原稿ガイド部材２５とフィードローラ２３との間には、フィードローラ２３の軸方向に沿って清掃部材４が挿着されている。
【００２３】
図３は、原稿ガイド部材２５に関する外観斜視図を示している。原稿ガイド面２５ａの原稿搬送方向下流側には、フィードローラ２３に向かって折り曲げ形成された保持部２５ｃが形成されており、原稿ガイド面２５ａの原稿搬送方向上流側には、原稿ガイド部材２５の両端部に形成された軸支部２５ｄ及びその間に形成されたガイド部２５ｅが櫛歯状に配列されている。原稿ガイド部材２５は、板金を折り曲げて形成したり、樹脂材料を成形することで作成することができる。
【００２４】
図４は、清掃部材４に関する外観斜視図を示している。清掃部材４は、清掃を行う棒状のスポンジ部材４０及びスポンジ部材４０に貼着された樹脂製の補強部材４１からなっており、図３に示すように、フィードローラ２３とほぼ同じ長さを有している。清掃部材４を挿着する場合には、図３の点線で示すように、その長手方向をフィードローラ２３の軸方向に合わせて保持部２５ｃに沿って挿入する。その場合補強部材４１を底面にして挿入する。
【００２５】
図２に示すように、清掃部材４を原稿ガイド部材２５及びフィードローラ２３の間に装着すると、スポンジ部材４０の角部が変形してフィードローラ２３の表面に圧接されるようになる。したがって、この状態でフィードローラ２３を反時計回りに回転させると、フィードローラ２３の表面に付着した紙粉等の異物はスポンジ部材４０により拭き落されるようになり、フィードローラ２３の表面を常時清掃し、異物のない状態とすることができる。フィードローラ２３の回転により清掃部材４には周方向に移動させようとする力が加わるが、保持部２５ｃに清掃部材４が当接することで保持されて移動することがない。
【００２６】
スポンジ部材４０により拭き落された異物は、図２に示すように、清掃部材４の原稿搬送方向上流側に形成された回収スペース２５ｆに溜まるようになる。回収スペース２５ｆは、原稿ガイド面２５ａから上方に折り曲げて形成されたスペースであり、スポンジ部材４０から脱落した異物が滞留するようになる。清掃部材４は、定期的に取り外されて付着した異物が除去されるとともに、回収スペース２５ｆに溜まった異物も取り除かれる。
【００２７】
原稿ガイド部材２５は、原稿搬送部２が上方に回動してプラテンガラス３１から離れた状態では、わずかに下方に回動するようになっており、その状態では原稿ガイド部材２５とフィードローラ２３との間が離間した状態となる。したがって、上述した清掃部材４の挿着、交換及び回収スペースの異物除去といった作業が容易に行うことができるようになる。
【００２８】
以上説明したように、従来の原稿ガイド部材２５とフィードローラ２３との間に形成されていたスペースを利用して清掃部材４を差し込んで清掃するようにしているので、新たに清掃部材の設置スペースを確保する必要がなく、また、清掃部材４をフィードローラ２３の軸方向に着脱可能に取り付けられているので、交換や異物除去といった作業を容易に行うことができる。
【図面の簡単な説明】
【００２９】
【図１】本発明に係る実施形態に関する概略断面図である。
【図２】フィードローラ付近の構造を示す一部拡大断面図である。
【図３】原稿ガイド部材に関する外観斜視図である。
【図４】清掃部材に関する外観斜視図である。
【符号の説明】
【００３０】
１    原稿読取装置
２    原稿搬送部
３    原稿読取部
４    清掃部材
23    フィードローラ
25    原稿ガイド部材
25a   原稿ガイド面
25b   間隔調整用突起
25c   保持部
25f   回収スペース
30    読取ヘッド
31    プラテンガラス
【図１】
2007235632.tif 000003
【図２】
2007235632.tif 000004
【図３】
2007235632.tif 000005
【図４】
2007235632.tif 000006